(57)【要約】【課題】  照明装置に対する給電と遮断に関する合理化を図る上で有効な車両用サンバイザを提供する。【解決手段】  車両用サンバイザは、サンバイザ本体１０３と、サンバイザ本体１０３に設けられたミラーユニット１２０とを有する。ミラーユニット１２０は、ミラー１２３と、ミラーを保持するミラー保持部材１２１と、ミラー保持部材１２１に取り付けられ、ミラー１２３を覆う閉位置とミラーを露出させる開位置との間で移動可能とされたミラーカバー１２５とを有する。ミラーカバー１２５に照明装置１３０が設けられる。ミラーカバー１２５が閉位置から開位置に移動されたときに照明装置１３０に対する給電が行われ、ミラーカバー１２５が開位置から閉位置に移動されたときに給電が遮断されるように構成されている。【選択図】  図３
2014181018.tif 000002
【特許請求の範囲】
【請求項１】
サンバイザ本体と、前記サンバイザ本体に設けられたミラーユニットと、を有する車両用サンバイザであって、
前記ミラーユニットは、ミラーと、前記ミラーを保持するミラー保持部材と、前記ミラー保持部材に取り付けられたミラーと、前記ミラー保持部材に取り付けられ、前記ミラーを覆う閉位置と前記ミラーを露出させる開位置との間で移動可能とされたミラーカバーと、を有し、
前記ミラーカバーに照明装置が設けられ、前記ミラーカバーが前記閉位置から前記開位置に移動されたときに前記照明装置に対する給電が行われ、前記ミラーカバーが前記開位置から前記閉位置に移動されたときに前記照明装置に対する前記給電が遮断されるように構成されていることを特徴とする車両用サンバイザ。
【請求項２】
請求項１に記載の車両用サンバイザであって、
前記ミラーカバーは、厚み方向で分割された第１カバーと第２カバーとを有し、前記照明装置は、前記第１カバーと第２カバーとの間に配置され、且つ前記第１カバーと前記第２カバーの少なくとも一方に固定されることを特徴とする車両用サンバイザ。
【請求項３】
請求項２に記載の車両用サンバイザであって、
前記ミラーカバーには、第１金属端子と第２金属端子が設けられ、前記ミラー保持部材には、前記第１金属端子に対応する第３金属端子と前記第２金属端子に対応する第４金属端子が設けられ、
第１金属端子と第２金属端子は、前記照明装置に接続されており、
前記第３金属端子と前記第４金属端子は、電源に接続されており、
前記ミラーカバーが前記閉位置から前記開位置に移動されたときに前記第１金属端子と前記第３金属端子が接触されるとともに前記第２金属端子と前記第４金属端子が接触されることで前記照明装置に給電され、前記ミラーカバーが前記開位置から前記閉位置に移動されたときに前記第１金属端子と前記第３金属端子との前記接触が解除されるとともに前記第２金属端子と前記第４金属端子との接触が解除されることで前記照明装置に対する給電が遮断されるように構成されていることを特徴とする車両用サンバイザ。
【請求項４】
請求項２に記載の車両用サンバイザであって、
前記ミラーカバーには、第１金属端子及び第２金属端子が設けられ、前記サンバイザ本体には、前記第１金属端子に対応する第３金属端子と前記第２金属端子に対応する第４金属端子が設けられ、
第１金属端子と第２金属端子は、前記照明装置に接続されており、
前記第３金属端子と前記第４金属端子は、電源に接続されており、
前記ミラーカバーが前記閉位置から前記開位置に移動されたときに前記第１金属端子と前記第３金属端子が接触されるとともに前記第２金属端子と前記第４金属端子が接触されることで前記照明装置に給電され、前記ミラーカバーが前記開位置から前記閉位置に移動されたときに前記第１金属端子と前記第３金属端子との前記接触が解除されるとともに前記第２金属端子と前記第４金属端子との接触が解除されることで前記照明装置に対する給電が遮断されるように構成されていることを特徴とする車両用サンバイザ。
【請求項５】
請求項３又は４に記載の車両用サンバイザであって、
前記第３金属端子及び前記第４金属端子は、板状に形成されており、前記ミラーカバーが前記閉位置から前記開位置に向けて移動する開放時において、前記第３金属端子が前記第１金属端子との接触により撓むように構成されるとともに、前記第４金属端子が前記第２金属端子との接触により撓むように構成されており、
前記第３金属端子及び前記第４金属端子の延在方向が前記ミラーユニットの厚み方向であることを特徴とする車両用サンバイザ。
【請求項６】
請求項３又は４に記載の車両用サンバイザであって、
前記第３金属端子及び前記第４金属端子は、板状に形成されており、前記ミラーカバーが前記閉位置から前記開位置に向けて移動する開放時において、前記第３金属端子が前記第１金属端子との接触により撓むように構成されるとともに、前記第４金属端子が前記第２金属端子との接触により撓むように構成されており、
前記第３金属端子及び前記第４金属端子の延在方向が前記ミラーユニットの長手方向であることを特徴とする車両用サンバイザ。
【発明の詳細な説明】
【技術分野】
【０００１】
本発明は、車両用サンバイザに関する。
【背景技術】
【０００２】
特開平５−２６２１３５号公報は、サンバイザ本体にバニティミラーが装着された車両用サンバイザを開示している。特開平５−２６２１３５号公報に記載された車両用サンバイザは、バニティミラーを夜間でも使用可能とするために、ミラーケースに照明用のランプ及びランプの点灯と消灯を操作する手動用のランプスイッチを備えている。
【先行技術文献】
【特許文献】
【０００３】
【特許文献１】特開平５−２６２１３５号公報
【発明の概要】
【発明が解決しようとする課題】
【０００４】
ところで、バニティミラー付き車両用サンバイザにおいて、バニティミラーが運転の邪魔にならないようにするために、あるいはバニティミラーの保護のために、開閉式のミラーカバーによってバニティミラーを覆うように構成する場合、ミラーカバー側に照明用のランプを配置することが考えられる。このような構成としたときは、ランプに関する給電の合理化を図ることが肝要となる。
【０００５】
本発明は、上記の問題に鑑みてなされたものであり、照明装置に対する給電と遮断に関する合理化を図る上で有効な車両用サンバイザを提供することをその目的とする。
【課題を解決するための手段】
【０００６】
上記課題を達成するため、本発明に係る車両用サンバイザの好ましい形態によれば、サンバイザ本体と、サンバイザ本体に設けられたミラーユニットと、を有する車両用サンバイザが構成される。ミラーユニットは、ミラー保持部材と、ミラー保持部材に取り付けられたミラーと、ミラー保持部材に取り付けられ、ミラーを覆う閉位置とミラーを露出させる開位置との間で移動可能とされたミラーカバーと、を有する。そして、ミラーカバーに照明装置が設けられ、ミラーカバーが閉位置から開位置に移動されたときに照明装置に対する給電が行われ、ミラーカバーが開位置から閉位置に移動されたときに照明装置に対する給電が遮断されるように構成されている。なお、本発明における「ミラーカバーが閉位置と開位置との間で移動可能とされる」の態様としては、典型的にはミラーカバーが所定の回動軸回りを回動動作する回動方式がこれに該当するが、これに限らず、ミラーカバーがサンバイザ本体の面に沿って摺動するスライド方式も好適に包含する。
【０００７】
本発明によれば、ミラーカバーに照明装置が設けられており、ミラーカバーが閉位置から開位置に移動されたときに照明装置に対する給電が行われ、ミラーカバーが開位置から閉位置に移動されたときに照明装置に対する給電が遮断されるように構成されている。このため、ミラーカバーの開放操作あるいは閉止操作を行うだけで、当該照明装置に対する給電と遮断を合理的に行うことができる。
【０００８】
本発明に係る車両用サンバイザの更なる形態によれば、ミラーカバーは、厚み方向で分割された第１カバーと第２カバーとを有する。そして、照明装置は、第１カバーと第２カバーとの間に配置され、且つ第１カバーと第２カバーの少なくとも一方に固定される。
【０００９】
この形態によれば、分割された第１カバーと第２カバーとの間に照明装置を配置する構成のため、照明装置の配置スペースを容易に確保することが可能である。
【００１０】
本発明に係る車両用サンバイザの更なる形態によれば、ミラーカバーには、第１金属端子と第２金属端子が設けられ、ミラー保持部材には、第１金属端子に対応する第３金属端子と第２金属端子に対応する第４金属端子が設けられている。第１金属端子と第２金属端子は、照明装置に接続されている。第３金属端子と第４金属端子は、電源に接続されている。そして、ミラーカバーが閉位置から開位置に移動されたときに、第１金属端子と第３金属端子が接触されるとともに第２金属端子と第４金属端子が接触されることで照明装置に給電され、ミラーカバーが開位置から閉位置に移動されたときに、第１金属端子と第３金属端子との接触が解除されるとともに第２金属端子と第４金属端子との接触が解除されることで照明装置に対する給電が遮断されるように構成されている。
【００１１】
この形態によれば、ミラーカバーとミラー保持部材との間において、ミラーカバーの開閉動作に応じて照明装置に対する給電と遮断とを行う給電構造を合理的に構築することができる。ここで、「給電」の態様としては、ミラーカバーが閉位置から開位置へと移動する途中で給電を開始する態様、ミラーカバーが開位置に到達したときに給電を開始する態様のいずれであっても構わない。
【００１２】
本発明に係る車両用サンバイザの更なる形態によれば、ミラーカバーには、第１金属端子及び第２金属端子が設けられ、サンバイザ本体には、第１金属端子に対応する第３金属端子と第２金属端子に対応する第４金属端子が設けられている。第１金属端子と第２金属端子は、照明装置に接続されている。第３金属端子と第４金属端子は、電源に接続されている。そして、ミラーカバーが閉位置から開位置に移動されたときに、第１金属端子と第３金属端子が接触されるとともに第２金属端子と第４金属端子が接触されることで、照明装置に給電され、ミラーカバーが開位置から閉位置に移動されたときに、第１金属端子と第３金属端子との接触が解除されるとともに第２金属端子と第４金属端子との接触が解除されることで、照明装置に対する給電が遮断されるように構成されている。
【００１３】
この形態によれば、ミラーカバーとサンバイザ本体との間において、ミラーカバーの開閉動作に応じて照明装置に対する給電と遮断とを行う給電構造を合理的に構築することができる。ここで、「給電」の態様としては、ミラーカバーが閉位置から開位置へと移動する途中で給電を開始する態様、ミラーカバーが開位置に到達したときに給電を開始する態様のいずれであっても構わない。
【００１４】
本発明に係る車両用サンバイザの更なる形態によれば、第３金属端子及び第４金属端子は、板状に形成されており、ミラーカバーが閉位置から開位置に向けて移動する開放時において、第３金属端子が第１金属端子との接触により撓むように構成されるとともに、第４金属端子が第２金属端子との接触により撓むように構成されている。そして、第３金属端子及び第４金属端子の延在方向がミラーユニットの厚み方向に設定されている。
【００１５】
この形態によれば、第１金属端子と第３金属端子との接触及び第２金属端子と第４金属端子との接触は、撓みを伴う構成であり、このため、当該接触状態を確実に維持し、給電不良を防止できる。また、第３金属端子及び第４金属端子の延在方向がミラーユニットの厚み方向としたので、限られた狭いスペースを利用して第３金属端子及び第４金属端子を配置できる。
【００１６】
本発明に係る車両用サンバイザの更なる形態によれば、第３金属端子及び第４金属端子は、板状に形成されており、ミラーカバーが閉位置から開位置に向けて移動する開放時において、第３金属端子が第１金属端子との接触により撓むように構成されるとともに、第４金属端子が第２金属端子との接触により撓むように構成されている。そして、第３金属端子及び第４金属端子の延在方向がミラーユニットの長手方向となるように設定されている。
【００１７】
この形態によれば、第１金属端子と第３金属端子との接触及び第２金属端子と第４金属端子との接触は、撓みを伴う構成であり、このため、当該接触状態を確実に維持し、給電不良を防止できる。また、第３金属端子及び第４金属端子の延在方向がミラーユニットの長手方向としたので、第３金属端子及び第４金属端子の延在長さが確保し易く、第３金属端子及び第４金属端子を塑性変形させないような設計が可能になる。
【発明の効果】
【００１８】
本発明によれば、照明装置に対する給電と遮断に関する合理化を図る上で有効な車両用サンバイザが提供されることとなった。
【図面の簡単な説明】
【００１９】
【図１】本発明の実施形態に係る車両用サンバイザの全体構成を示す正面図である。
【図２】バニティミラーユニットを示す分解斜視図である。
【図３】バニティミラーユニットの縦断面図であり、ミラーカバーが閉じ位置に置かれた状態を示す。
【図４】バニティミラーユニットの縦断面図であり、ミラーカバーの回動動作途中を示す。
【図５】バニティミラーユニットの縦断面図であり、ミラーカバーが開き位置に置かれた状態を示す。
【図６】固定端子に関する変形例を説明する分解斜視図である。
【図７】サンバイザ本体に対する固定端子の取り付けを示す断面図である。
【図８】変形例に関する可動端子と固定端子の動作説明図であり、可動端子と固定端子の離間状態を示し、ミラーカバーが閉じ位置に置かれたときに対応する。
【図９】変形例に関する可動端子と固定端子の動作説明図であり、可動端子と固定端子の接触状態を示し、ミラーカバーの回動動作途中に対応する。
【図１０】変形例に関する可動端子と固定端子の動作説明図であり、可動端子で押圧された固定端子の撓み状態を示し、ミラーカバーが開き位置に置かれたときに対応する。
【発明を実施するための最良の形態】
【００２０】
以下、本発明の実施形態に係る自動車用サンバイザにつき、図１〜図５を参照しつつ説明する。本実施の形態に係る車両用サンバイザ１０１は、図１に示すように、概括的に見てサンバイザ本体１０３、支軸１０５、バニティミラーユニット１２０、有機エレクトロルミネッセンス１３０を主体として構成される。このサンバイザ本体１０３が、本発明における「サンバイザ本体」に対応し、バニティミラーユニット１２０が、本発明における「ミラーユニット」に対応し、有機エレクトロルミネッセンス１３０が、本発明における「照明装置」に対応する。この有機エレクトロルミネッセンス１３０を、以下の説明では有機ＥＬ１３０という。
【００２１】
サンバイザ本体１０３は、サンバイザ１０１の外形を構成しており、横に長い略長方形状に形成される。支軸１０５は、概ね鉛直方向に延びる縦軸部１０５ａと、概ね水平方向に延びる横軸部１０５ｂとを備えた略Ｌ字状に形成されている。支軸１０５の横軸部１０５ｂがサンバイザ本体１０３における周縁部に回動自在に装着され、支軸１０５の縦軸部１０５ａが取付ブラケット１０７に相対回動自在に取り付けられる。そして、取付ブラケット１０７が車室天井面に装着される。
【００２２】
車室天井面に装着されたサンバイザ本体１０３は、横軸部１０５ｂの軸回りに回動操作されることで、車室の天井面に沿うように置かれる格納位置と、当該格納位置以外の使用領域（遮光領域）との間で位置を変えることができる。
【００２３】
図１に示すように、バニティミラーユニット１２０は、サンバイザ本体１０３の面のうち、使用領域へと回動されたときに車室内に向く面、すなわち乗員と対向する正面に配置されている。サンバイザ本体１０３の正面には、バニティミラーユニット１２０を配置するための、サンバイザ本体１０３の厚さ方向に所定深さを有する、横に長い略長方形状の凹部が形成され、この凹部にバニティミラーユニット１２０が収容されている。
【００２４】
図２にバニティミラーユニット１２０が分解した状態で示される。バニティミラーユニット１２０は、ミラートリム１２１、バニティミラー１２３、及びミラーカバー１２５を主体として構成される。ミラートリム１２１は、横に長い略長方形の枠状に形成され、その枠内に長方形状のバニティミラー１２３が収容されて保持されている。このミラートリム１２１が、本発明における「ミラー保持部材」に対応し、バニティミラー１２３が、本発明における「ミラー」に対応し、ミラーカバー１２５が、本発明における「ミラーカバー」に対応する。
【００２５】
ミラーカバー１２５は、バニティミラー１２３を覆うことが可能な広さの横に長い略長方形状の板状部材として構成されている。ミラーカバー１２５は、サンバイザ本体１０３が使用領域へと回動された状態での、ミラートリム１２１の長辺上縁部の両端部に対して取付軸（便宜上、図示を省略する）を介して上下方向に回動自在に取り付けられる。すなわち、ミラーカバー１２５は、取付軸を回動支点としてバニティミラー１２３を露出させる開き位置と、バニティミラー１２３を覆う閉じ位置との間で回動できるようにミラートリム１２１に連結されている。この開き位置が、本発明における「開位置」に対応し、閉じ位置が、本発明における「閉位置」に対応する。
【００２６】
また、ミラーカバー１２５は、図３〜図５に示すように、当該ミラーカバー１２５の厚み方向に関して２つに分割されている。すなわち、ミラーカバー１２５は、ミラーカバー１２５の外面を形成するアウタカバー部１２５ａと、バニティミラー１２３の保護面を形成するインナカバー部１２５ｂとに分割された分割構造であり、両カバー部１２５ａ，１２５ｂは、成形後において、ねじ、接着、溶着等の手段を適宜用いることで互いに接合される。このアウタカバー部１２５ａとインナカバー部１２５ｂが、本発明における「第１カバーと第２カバー」に対応する。
【００２７】
アウタカバー部１２５ａとインナカバー部１２５ｂとの間には、有機ＥＬ１３０を収容するための収容スペースが形成され、当該収容スペースに有機ＥＬ１３０が配置されている。すなわち、有機ＥＬ１３０は、薄板状の横に長い略長方形状に形成され、且つミラーカバー１２５内に収容される構成であり、アウタカバー部１２５ａとインナカバー部１２５ｂを接合するに際して、当該アウタカバー部１２５ａとインナカバー部１２５ｂのいずれか一方に固定される。ここでいう固定とは、ねじ、接着、溶着等により固定する態様は勿論のこと、アウタカバー部１２５ａとインナカバー部１２５ｂとにより挟み込んで固定する態様を含む。なお、インナカバー部１２５ｂには、図２に示すように、横に長い長方形状の開口１２５ｃが形成され、この開口１２５ｃを通して有機ＥＬ１３０の光が照射する。
【００２８】
次に有機ＥＬ１３０に対する給電構造に関して説明する。図２に示すように、バニティミラーユニット１２０には、互いに対をなす可動端子１２７と固定端子１２９が２組設けられる。そして、２組のうちの１組がミラーカバー１２５のミラートリム１２１に対する回動連結側の長辺方向一端側に配置され、他の１組が長辺方向他端側に配置される。具体的には、ミラーカバー１２５の長辺方向一端側と長辺方向他端側とのそれぞれ（図２に矢印で示す位置）に各１個の可動端子１２７が取り付けられ、ミラートリム１２１の長手方向一端側と他端側とのそれぞれ（図２に矢印で示す位置）に各１個の固定端子１２９が取り付けられる。これら２つの可動端子１２７が本発明における「第１金属端子と第２金属端子」に対応し、２つの固定端子１２９が本発明における「第３金属端子と第４金属端子」に対応する。
【００２９】
図３〜図５に示すように、各可動端子１２７は、略Ｔ字形の平坦な板状に形成されるとともに、ミラーカバー１２５のアウタカバー部１２５ａとインナカバー部１２５ｂとの間に配置されて当該アウタカバー部１２５ａとインナカバー部１２５ｂのいずれかにネジ等で固定される。各可動端子１２７のＴ字形の頭部に相当する部位がミラーカバー１２５の外側に露出され、この露出部分が固定端子１２９に接触可能な加圧接触部１２７ａとして設定されている。
【００３０】
なお、２個の可動端子１２７のうちの一方の可動端子１２７が、有機ＥＬ１３０のプラス端子にリード線（便宜上、図示を省略する）を介して接続され、他方の可動端子１２７が、有機ＥＬ１３０のマイナス端子にリード線（便宜上、図示を省略する）を介して接続されている。
【００３１】
各固定端子１２９は、弾性変形可能な板状で、且つＬ形に折り曲げられており、Ｌ形の一辺がミラートリム１２１にネジ等で固定される。ミラートリム１２１の固定端子１２９が配置される部位には、前後方向に貫通する開口１２１ａが形成されており、固定端子１２９のＬ形の他の一辺は、この開口１２１ａを通して前方へと延在されている。すなわち、固定端子１２９は、一端が固定され、他端が自由端とされた片持ちはり構造であり、ミラートリム１２１の開口１２１ａを通して当該ミラートリム１２１の厚み方向に延在されるとともに、その延在端部１２９ａがミラートリム１２１の前面よりも前方に突出して可動端子１２７との接触可能領域として設定されている。そして、開口１２１ａ内を延在する固定端子１２９は、当該開口１２１ａ内において、ミラートリム１２１の縦方向である短辺方向への撓み、すなわち弾性変形が許容されている。
【００３２】
なお、便宜上、図示を省略するが、２個の固定端子１２９のうちの一方の固定端子１２９が、バッテリのプラス端子にリード線等を介して接続され、他方の固定端子１２９が、バッテリのマイナス端子にリード線等を介して接続されている。バッテリが、本発明における「電源」に対応する。
【００３３】
上記のように配置された可動端子１２７と固定端子１２９は、図３に示すように、ミラーカバー１２５がバニティミラー１２３を覆う閉じ位置にあるときに、互いに離間した位置関係とされ、ミラーカバー１２５が閉じ位置からバニティミラー１２３を露出させる開き位置へと回動されたときに、ミラーカバー１２５と共に回動する可動端子１２７の加圧接触部１２７ａが固定端子１２９の延在端部１２９ａに接触するように設定されている。
【００３４】
本実施形態に係る車両用サンバイザ１０１は、上記のように構成されている。従って、バニティミラー１２３を使用する場合には、サンバイザ本体１０３を使用領域へと回動させる。その状態でミラーカバー１２５を閉じ位置から開き位置へと回動させると、図４に示すように、ミラーカバー１２５の回動動作の途中、具体的には、開き位置に接近した付近で可動端子１２７の加圧接触部１２７ａが固定端子１２９の延在端部１２９ａに上方から接触する。これによりバッテリの電力が有機ＥＬ１３０に供給されて当該有機ＥＬ１３０が発光（点灯）する。
【００３５】
その後、ミラーカバー１２５は、図５に示すように、開き位置まで回動され、ストッパ機構により開き位置に保持されるが、この回動時に可動端子１２７の加圧接触部１２７ａが固定端子１２９の延在端部１２９ａを加圧するように移動する。このため、延在端部１２９ａを加圧された固定端子１２９は、ミラートリム１２１の開口１２１ａ内で下方へと撓む。すなわち、固定端子１２９の延在端部１２９ａは、ミラートリム１２１の縦方向（短辺方向）に弾性変形し、この弾性変形により発生する弾性力（復元力）により可動端子１２７と固定端子１２９との接触状態が維持される。なお、ミラーカバー１２５の回動範囲については、有機ＥＬ１３０の光がバニティミラー１２３に映らないような角度、例えば１００〜１１０度に設定することが好ましい。
【００３６】
バニティミラー１２３の使用後、ミラーカバー１２５を開き位置から閉じ位置へと回動すれば、可動端子１２７の加圧接触部１２７ａが固定端子１２９の延在端部１２９ａから離間し、有機ＥＬ１３０に対する給電が遮断され、当該有機ＥＬ１３０の発光が停止（消灯）する。可動端子１２７の加圧接触部１２７ａが固定端子１２９の延在端部１２９ａから離間することに伴い、固定端子１２９の延在端部１２９ａは、初期位置へと弾性力で復帰する。
【００３７】
このように、本実施形態によれば、ミラーカバー１２５に有機ＥＬ１３０が設けられ、ミラーカバー１２５が閉じ位置から開き位置に回動されたときに有機ＥＬ１３０に対する給電が行われ、ミラーカバー１２５が開き位置から閉じ位置に回動されたときに給電が遮断されるように構成されている。このため、ミラーカバー１２５を開放操作あるいは閉止操作を行うだけで、有機ＥＬ１３０に対する給電と遮断を合理的に行うことができる。
【００３８】
また、本実施形態によれば、ミラーカバー１２５は、厚み方向において分割されたアウタカバー部１２５ａとインナカバー部１２５ｂとから構成し、アウタカバー部１２５ａとインナカバー部１２５ｂとの間に有機ＥＬ１３０を配置する構成としている。このことにより薄板状に形成された有機ＥＬ１３０の配置スペースを容易に確保することが可能であり、合理的な配置構造が構築される。
【００３９】
また、本実施形態によれば、ミラーカバー１２５には可動端子１２７を設け、ミラートリム１２１には可動端子１２７に対応する固定端子１２９を設けることにより、ミラーカバー１２５とミラートリム１２１との間において、ミラーカバー１２５の開閉動作に応じて、可動部材であるミラーカバー１２５に配置された有機ＥＬ１３０に対する給電と遮断とを行う給電構造を構築することができる。
【００４０】
また、本実施形態によれば、ミラーカバー１２５が開き位置に移動された状態では、可動端子１２７と固定端子１２９とは、当該固定端子１２９を撓ませた状態、すなわち固定端子１２９を弾性変形させた状態で接触する。このため、振動等の影響による接触不良を起こすことなく、固定端子１２９の弾性力により可動端子１２７と固定端子１２９との接触状態を維持し、有機ＥＬ１３０に対して安定して給電を行うことができる。
【００４１】
また、本実施形態によれば、固定端子１２９につき、ミラートリム１２１に固定された部分からトリム正面（前面）に向けてミラートリム１２１の開口１２１ａを通して延在させ、その延在端部１２９ａを可動端子１２７に接触させる構成である。すなわち、固定端子１２９を一端が自由端とされた片持ち状の板状端子として構成し、バニティミラーユニット１２０の厚み方向に延在させ、ミラートリム１２１の縦方向（短辺方向）に撓む構成としている。このため、限られた狭いスペースを利用して固定端子１２９を配置できる。
【００４２】
次に本発明の他の実施形態につき、図６〜図１０を参照しつつ説明する。他の実施形態は、固定端子１２９の取付箇所につき、ミラートリム１２１からサンバイザ本体１０３に変更したものである。この変形例に係る固定端子１２９は、図６に示すように、サンバイザ本体１０３のバニティミラーユニット配置用凹部における上辺側の両隅部にそれぞれ配置されている。なお、図６ではミラートリム１２１及びバニティミラー１２３を省略している。
【００４３】
固定端子１２９は、図６及び図７に示すように、一端がサンバイザ本体１０３にネジ等で固定されるとともに、当該サンバイザ本体１０３に形成された開口１０３ａ及びミラートリム１２１の開口１２１ａを通して当該ミラートリム１２１の厚み方向に延在された後、方向を転換してミラートリム１２１の長辺方向、すなわちバニティミラーユニット１２０の長手方向に更に延在されている。すなわち、固定端子１２９は、一端が固定され、他端が自由端とされた片持ちはり構造であり、バニティミラーユニット１２０の長手方向の延在端部１２９ａがミラートリム１２１の前面よりも前方に突出して可動端子１２７との接触可能領域として設定されている。そして、開口１２１ａ内を延在する固定端子１２９は、当該開口１２１ａ内において、ミラートリム１２１の縦方向である短辺方向への撓み、すなわち弾性変形が許容されている。なお、固定端子１２９に以外については、前述した実施形態と同様に構成されている。従って、同一構成部材については同一符号を付して説明を省略又は簡略にする。
【００４４】
図８〜図１０はミラーカバー１２５に取り付けられた可動端子１２７とサンバイザ本体１０３に取り付けられた固定端子１２９の動作態様を示している。ミラーカバー１２５がバニティミラー１２３を覆う閉じ位置に置かれているときは、図８に示すように、可動端子１２７は、固定端子１２９の延在端部１２９ａから離間している。
【００４５】
この状態でミラーカバー１２５を開き位置に向けて回動させると、図９に示すように、ミラーカバー１２５と共に回動する可動端子１２７の加圧接触部１２７ａが、その回動動作の途中で、具体的には、ミラーカバー１２５が開き位置に接近した付近で固定端子１２９の延在端部１２９ａに上方から接触する。これにより有機ＥＬ１３０に給電される。
【００４６】
更にミラーカバー１２５が開き位置まで回動されると、可動端子１２７の加圧接触部１２７ａが固定端子１２９の延在端部１２９ａを加圧する。このため、図１０に示すように、延在端部１２９ａがミラートリム１２１の開口１２１ａ内で下方へと撓む。すなわち、固定端子１２９の延在端部１２９ａは、ミラートリム１２１の縦方向（短辺方向）に弾性変形し、この弾性変形により発生する弾性力（復元力）により可動端子１２７と固定端子１２９との接触状態が維持される。
【００４７】
他の実施形態によれば、サンバイザ本体１０３に固定端子１２９を設けた構成であり、これによりミラーカバー１２５とサンバイザ本体１０３との間において、ミラーカバー１２５の開閉動作に応じてミラーカバー１２５に配置された有機ＥＬ１３０に対する給電と遮断とを行う給電構造を構築することができる。
【００４８】
また、他の実施形態によれば、固定端子１２９の延在端部１２９ａの延在方向をミラートリム１２１の長辺方向、すなわちバニティミラーユニット１２０の長手方向としたので、固定端子１２９の延在端部１２９ａの延在長さが確保し易く、固定端子１２９を塑性変形させないような設計が可能になる。
【００４９】
なお、図示の実施形態では、ミラートリム１２１に対してミラーカバー１２５が、閉じ位置と開き位置との間で所定の回動軸回りに回動する回動式として説明したが、これに限らず、ミラーカバー１２５がバニティミラー１２３の面に沿って摺動するスライド式に変更しても差し支えない。
また、他の実施例においては、固定端子１２９の延在端部１２９ａの延在方向をミラートリム１２１の長辺方向としたが、ミラートリム１２１の短辺方向、すなわちバニティミラーユニット１２０の短手方向に変更してもよい。この構成によっても、他の実施形態と同様の効果が得られる。
【００５０】
また、図示の実施形態では、照明装置として、有機ＥＬ１３０で構成されるとしたが、これに限らず、無機エレクトロルミネッセンス（無機ＥＬ）、発光ダイオード（ＬＥＤ），電球等が適用可能である。
【００５１】
また、ミラーカバー１２５の分割構造として、図示の実施形態では、その全体に関してアウタカバー部１２５ａとインナカバー部１２５ｂとに２分したが、ミラーカバー１２５の内側の一部をインナカバー部１２５ｂとして分割してもよい。また、図示の実施形態では、固定端子１２９が撓む構成としたが、可動端子１２７が撓むように構成してもよいし、可動端子１２７と固定端子１２９の両方が撓むようにしてもよい。
【００５２】
なお、本発明の趣旨に鑑み、以下の態様を構成することができる。
（態様１）
「サンバイザ本体と、
前記サンバイザ本体に設けられたミラーと、
前記ミラーを覆う閉位置と前記ミラーを露出させる開位置との間で移動可能とされたミラーカバーと、を有し、
前記ミラーカバーには照明装置と、前記照明装置に接続された可動端子が設けられ、
前記サンバイザ本体側には電源側に接続された固定端子が設けられ、
前記ミラーカバーが前記閉位置から前記開位置に移動されたときに、前記可動端子と前記固定端子が接触することで前記照明装置に対する給電が行われ、前記ミラーカバーが前記開位置から前記閉位置に移動されたときに、前記可動端子と前記固定端子の接触が解除されることで前記照明装置に対する前記給電が遮断されるように構成された車両用サンバイザであって、
前記可動端子と前記固定端子との接触は、前記可動端子と前記固定端子との少なくとも一方が弾性変形することで発生する弾性力により維持されるように構成されていることを特徴とする車両用サンバイザ。」
【００５３】
態様１によれば、振動等の影響を受けることなく、可動端子と固定端子との接触状態を弾性変形による弾性力で維持し、照明装置に対する給電の安定化を図ることができる。
【００５４】
（態様２）
「態様１に記載の車両用サンバイザであって、
前記可動端子と前記固定端子の少なくとも一方が、一端が固定され、他端が自由端とされた板状端子によって構成されていることを特徴とする車両用サンバイザ。」
【００５５】
態様２によれば、可動端子と固定端子の少なくとも一方を片持ちはり状の板状端子とすることで、弾性変形し易い構造の端子を得ることができる。
【００５６】
（実施の形態の各構成要素と本発明の構成要素との対応関係）
本実施の形態における各構成要素と、本発明における構成要素との発明特定事項との関係は、以下のとおりである。もちろん、本実施の形態における各構成要素は、対応する本発明の特定事項に関する一つの実施構成例に過ぎず、本発明の各構成要素はこれに限定されるものではない。
バニティミラーユニット１２０は、本発明の「ミラーユニット」に対応する構成の一例である。
有機ＥＬ１３０は、本発明の「照明装置」に対応する構成の一例である。
ミラートリム１２１は、本発明の「ミラー保持部材」に対応する構成の一例である。
バニティミラー１２３は、本発明の「ミラー」に対応する構成の一例である。
ミラーカバー１２５が、本発明の「ミラーカバー」に対応する構成の一例である。
アウタカバー部１２５ａとインナカバー部１２５ｂは、本発明の「第１カバーと第２カバー」に対応する構成の一例である。
２つの可動端子１２７は、本発明の「第１金属端子と第２金属端子」に対応する構成の一例である。
２つの固定端子１２９は、本発明の「第３金属端子と第４金属端子」に対応する構成の一例である。
バッテリは、本発明の「電源」に対応する構成の一例である。
【符号の説明】
【００５７】
１０１  車両用サンバイザ
１０３  サンバイザ本体
１０３ａ  開口
１０５  支軸
１０５ａ  縦軸部
１０５ｂ  横軸部
１０７  取付ブラケット
１２０  バニティミラーユニット（ミラーユニット）
１２１  ミラートリム（ミラー保持部材）
１２１ａ  開口
１２３  バニティミラー（ミラー）
１２５  ミラーカバー
１２５ａ  アウタカバー部（第１カバー）
１２５ｂ  インナカバー部（第２カバー）
１２５ｃ  開口
１２７  可動端子（第１金属端子及び第２金属端子）
１２７ａ  加圧接触部
１２９  固定端子（第３金属端子及び第４金属端子）
１２９ａ  延在端部
１３０  有機ＥＬ（照明装置）
【図１】
2014181018.tif 000003
【図２】
2014181018.tif 000004
【図３】
2014181018.tif 000005
【図４】
2014181018.tif 000006
【図５】
2014181018.tif 000007
【図６】
2014181018.tif 000008
【図７】
2014181018.tif 000009
【図８】
2014181018.tif 000010
【図９】
2014181018.tif 000011
【図１０】
2014181018.tif 000012